(57)【要約】      （修正有）【課題】物品の収納箱としての用途に加えて背もたれのある椅子としても機能する折り畳み式収納箱を提供する。【解決手段】上方が開口した折り畳み式四角形箱部２と、該箱部の底面上に載置する底板と、箱部の上方開口を覆う蓋部３と、該蓋部の上面側に起伏可能に取り付けた背もたれ部４から構成する。箱部は幅狭で対向する２辺の中央に折り曲げ線を設けて該折り曲げ線を箱内側に折り曲げて折り畳める構造とする。箱底面は軟性布材で覆い、物品収納時はその上に開口と同形状の底板を載置する。蓋部は箱部上端部が丁度納まる浅い箱形に形成し、蓋部の上面側には蓋部の上面形状にほぼ等しい形状の背もたれ部を両者の開度が０〜１２０度の範囲で起伏可能なストッパー付き蝶番で取り付ける。蓋部の側壁高さは折り畳んだ状態で蓋部に丁度納まる高さとする。【選択図】図３
2015044628.tif 000002
【特許請求の範囲】
【請求項１】
物品を収納する収納箱の用途に加えて蓋部を座面とする椅子として使用でき、不使用時にはコンパクトな形に折り畳める折り畳み式収納箱であって、
上方が開口した折り畳み式箱部と、底板と、蓋部と、背もたれ部から構成され、
前記箱部は同一幅で平行に対向する第１、第２の側壁と、それら側壁辺部間を繋ぎ、その幅中心線にて折り曲げ可能で、折り曲げない状態の幅が第１、第２の側壁の幅より狭い同一幅の第３、第４の側壁とを有し、各側壁高さは折り畳んだ状態で前記蓋部内に納まる寸法とされ、箱部底面は軟性布材で覆われて物品収納時には箱部開口に等しい形状の前記底板が載置され、
前記蓋部は箱状にした箱部上端部が丁度納まる長方形箱型で、蓋部の上面側一辺部に蓋部の上面形状にほぼ等しい形状の前記背もたれ部を両者の開度を０〜１２０度の範囲で起伏可能にストッパー付き蝶番にて取り付けて蓋部と背もたれ部とが、いわゆる座椅子を構成するようにしてあり、
収納箱の不使用時には前記背もたれ部を前記蓋部の上面に折り重ね、前記箱部は第３、第４の側壁をその幅中心線にて内側に折り畳んで第１、第２の側壁間に挟み込んだ状態にして蓋部の開口内に収納できるようにしてあることを特徴とする折り畳み式収納箱。
【請求項２】
請求項１に記載の折り畳み式収納箱において、前記ストッパー付き蝶番は２軸蝶番であって、前記蓋部側に固定する第１部材と、前記背もたれ部側に固定する第２部材と、両部材を連結する連結部材とからなり、第１、第２部材は共に断面コ状溝形の所定長さの鋼材で形成され、共に前記連結部材側となる端部両側壁には壁高さを高くしたフランジ部を形成して中央部には回転軸を挿通する丸穴が形成してあり、前記連結部材は前記第１、第２部材が溝に納まる内幅の断面コ状溝形の鋼材で形成され、両端部の両側壁には前記フランジ部と同じ形状のフランジ部を形成して中央部には前記丸穴と同じ形状の丸穴が形成してあり、前記第１、第２部材の丸穴と連結部材の丸穴を位置合わせした状態でそれら丸穴に回転軸となるボルトを挿通して第１、第２部材が連結部材周りに起伏可能に連結してあり、第１、第２部材間の開度を平行な０度から広げていった場合には９０〜１２０度間の所定角度にて第１、第２部材の端部溝形底部分が連結部材の端部溝形底部分に当接することにより最大開度が制限されるように第１、第２部材及び連結部材の溝形底面から各丸穴までの高さが調整してあり、第１、第２部材間の開度を０度の平行姿勢にした場合には、第１、第２部材の溝形底面間の間隔が蓋部と背もたれ部の各表面を覆うクッション材の厚みを合わせた寸法になるように前記連結部材の長さが調整してあることを特徴とする折り畳み式収納箱。
【発明の詳細な説明】
【技術分野】
【０００１】
本発明は、物品を収納する収納箱としての用途に加えて背もたれ付き椅子としても使用でき、不使用時には保管に便利なコンパクトな形に折り畳める折り畳み式収納箱に関する。
【背景技術】
【０００２】
折り畳み式収納箱として折り畳み式箱部と、箱部の布製底面上に載置する底板と、箱部の上面開口を覆う蓋部とからなる収納箱が知られている（例えば、特許文献１）。この収納箱は物品を収納する箱として使用できることに加え、箱部の開口を覆う蓋部を座面とする椅子としても使用でき、不使用時には箱部のみ又は箱部と蓋部の双方をコンパクトに折り畳めるように構成されている。
【０００３】
しかし、この折り畳み式収納箱の場合、蓋部を座面とする椅子としても使用できるが背もたれがない。このため安楽な姿勢をとることができず、長時間使用した場合には疲れやすいという問題がある。
【先行技術文献】
【特許文献】
【０００４】
【特許文献１】実用新案登録第３１８９０４０号公報
【発明の開示】
【発明が解決しようとする課題】
【０００５】
本発明は、従来技術のこうした問題点を解決するためになされたもので、その課題は、物品を収納する収納箱としての用途に加えて椅子としても使用でき、不使用時には保管に便利なコンパクトな形に折り畳める折り畳み式収納箱であって、椅子として使用する際には背もたれにより安楽な姿勢をとることのできる折り畳み式収納箱を提供することにある。
【課題を解決するための手段】
【０００６】
前記課題を解決するための請求項１に記載の発明は、物品を収納する収納箱の用途に加えて蓋部を座面とする椅子として使用でき、不使用時にはコンパクトな形に折り畳める折り畳み式収納箱であって、上方が開口した折り畳み式箱部と、底板と、蓋部と、背もたれ部から構成され、箱部は同一幅で平行に対向する第１、第２の側壁と、それら側壁辺部間を繋ぎ、その幅中心線にて折り曲げ可能で、折り曲げない状態の幅が第１、第２の側壁の幅より狭い同一幅の第３、第４の側壁とを有し、各側壁高さは折り畳んだ状態で前記蓋部内に納まる寸法とされ、箱部底面は軟性布材で覆われて物品収納時には箱部開口に等しい形状の前記底板が載置され、蓋部は箱状にした箱部上端部が丁度納まる長方形箱型で、蓋部の上面側一辺部に蓋部の上面形状にほぼ等しい形状の背もたれ部を両者の開度を０〜１２０度の範囲で起伏可能にストッパー付き蝶番にて取り付けて蓋部と背もたれ部とが、いわゆる座椅子を構成するようにしてあり、収納箱の不使用時には背もたれ部を蓋部の上面に折り重ね、箱部は第３、第４の側壁をその幅中心線にて内側に折り畳んで第１、第２の側壁間に挟み込んだ状態にして蓋部の開口内に収納できるようにしてあることを特徴とする折り畳み式収納箱である。
【０００７】
このような構成の折り畳み式収納箱は、箱部を折り畳み式の物品収納箱として使用できることに加え、その開口を覆う蓋部と背もたれ部でもって背もたれのついた安楽な椅子として使用することができる。また、不使用時にはコンパクトに折り畳んで保管できる利点を有する。
【０００８】
また、請求項２に記載の発明は、請求項１に記載の折り畳み式収納箱において、前記ストッパー付き蝶番は２軸蝶番であって、蓋部側に固定する第１部材と、背もたれ部側に固定する第２部材と、両部材を連結する連結部材とからなり、第１、第２部材は共に断面コ状溝形の所定長さの鋼材で形成され、共に連結部材側となる端部両側壁には壁高さを高くしたフランジ部を形成して中央部には回転軸を挿通する丸穴が形成してあり、連結部材は第１、第２部材が溝に納まる内幅の断面コ状溝形の鋼材で形成され、両端部の両側壁には前記フランジ部と同じ形状のフランジ部を形成して中央部には前記丸穴と同じ形状の丸穴が形成してあり、第１、第２部材の丸穴と連結部材の丸穴を位置合わせした状態でそれら丸穴に回転軸となるボルトを挿通して第１、第２部材が連結部材周りに起伏可能に連結してあり、第１、第２部材間の開度を平行な０度から広げていった場合には９０〜１２０度間の所定角度にて第１、第２部材の端部溝形底部分が連結部材の端部溝形底部分に当接することにより最大開度が制限されるように第１、第２部材及び連結部材の溝形底面から各丸穴までの高さが調整してあり、第１、第２部材間の開度を０度の平行姿勢にした場合には、第１、第２部材の溝形底面間の間隔が蓋部と背もたれ部の各表面を覆うクッション材の厚みを合わせた寸法になるように連結部材の長さが調整してあることを特徴とする折り畳み式収納箱である。
【０００９】
このような構成のストッパー付き蝶番を使用すれば背もたれ部を蓋部の上面に折り重ねることができ、また、背もたれ部の蓋部に対する開度を９０〜１２０度の範囲の所定角度に制限できる。従って、その状態で背もたれのついた安楽な椅子として使用できる利点を有する。
【図面の簡単な説明】
【００１０】
【図１】本発明に係る折り畳み式収納箱１の箱部２と背もたれ部４付きの蓋部３を分離した状態の斜視図である。
【図２】背もたれ部４を蓋部３の上面に折り重ねた状態の斜視図である。
【図３】背もたれ部４を立てて背もたれのある椅子とした状態の斜視図である。
【図４】箱部２の分解斜視図である。
【図５】箱部２の折り畳み方の説明図である。
【図６】箱部２に折り畳んだ箱部２を収納した状態図である。
【図７】２個の蝶番１３の取り付け状態を示す斜視図である。
【図８】蝶番１３の斜視図である。
【図９】蝶番１３の分解斜視図である。
【図１０】第１、第２部材１７、１８を平行にした状態の側面図である。
【図１１】第１、第２部材１７、１８間の開き角度を最大にした場合の側面図である。
【図１２】折り畳み式収納箱１の断面図である。
【図１３】折り畳み式収納箱１の保管状態の斜視図である。
【発明を実施するための形態】
【００１１】
以下、本発明に係る背もたれ付き椅子としても使える折り畳み式収納箱の実施形態を図面を参照して説明する。折り畳み式収納箱１は図１に示すように、箱部２と蓋部３と背もたれ部４とから構成される。蓋部３は物品を収納した状態の箱部２の上部開口部を覆う蓋としての機能する他、その上面に起伏可能に取り付けた背もたれ部４とあいまって座椅子としても機能する。蓋部３と背もたれ部４とはストッパーのついた蝶番で連結されている。背もたれ部４は蓋部３に平行な状態から起伏し、蓋部３との間の開度が９０〜１２０度間の所定角度に達したときにストッパーに当接してそれ以上の開きが阻止されるように構成されており、折り畳み式座椅子の背もたれと同じ機能を果たす。図２は背もたれ部４を蓋部３の上面に折り重ねた状態の斜視図、図３は背もたれ部４を９０〜１２０度間の所定角度に立てて背もたれのある椅子として使用する場合の斜視図である。
【００１２】
図４は箱部２の分解斜視図であり、収納箱本体部２は上方が開口した折り畳み可能な箱部であり、箱部２の底面上には着脱可能な底板５が載置される。箱部２は第１、第２、第３、第４の側壁６、７、８、９で囲まれた四角箱型に形成されている。第１、第２の側壁６、７は平行に対向し、第３、第４の側壁８、９は幅中心にて上下方向に伸びる幅中心線１０、１１にて折り曲げ可能に形成されている。その折り曲げない状態の幅は第１、第２の側壁６、７の幅より狭くしてある。
【００１３】
箱部２の底面は軟性布材で覆われており、収納箱として使用する際は箱部２内に丁度納まる形状に形成された底板５を底面上に載置して箱部２の断面形状を確保する。箱部２を収納箱として使用せずに保管する際には底板５を取り外し、図５の（１）に示すように第３、第４の側壁８、９をその幅中心線１０、１１にて箱内側に向けて折り曲げ、図５の（２）に示すように折り畳む。第３、第４の側壁８、９の幅は第１、第２の側壁６、７の幅より狭くしてあるので図に示すように折り畳んだ第３、第４の側壁８、９を第１、第２の側壁６、７間に挟み込むことができる。箱部２の側壁、底板５は補強材としての板材を布材で覆って形成されている。第３、第４の側壁８、９は、その幅中心線１０、１１を境に左右２枚の板材で構成されている。板材には中密度繊維板、プラスチック板、合板、木材板、アルミ板等を用いる。
【００１４】
蓋部３は下側が開口しており、物品収納時の箱形にした箱部２の上端部が内側に丁度納まる浅い箱形に形成されている。箱部２には図６に示すように折り畳んだ箱部２を底板５と共に収納できる。そのように収納できるようにするため第１、第２、第３、第４の側壁６、７、８、９の側壁高さは第３、第４の側壁８、９の幅以下にされている。
【００１５】
蓋部３の上面側には蓋部３の上面形状にほぼ等しい形状の背もたれ部４が、両者の開度を０〜１２０度の範囲で起伏可能にストッパー付き蝶番にて取り付けられている。図７は蓋部３と背もたれ部４の表面に張り付けてあるクッション材と表面を覆う布を除いた状態にして背もたれ部４を立てたときの斜視図である。背もたれ部４は２個の蝶番１３で蓋部３に起伏可能に取り付けてあり、背もたれ部４は蓋部３の上面に折り畳んだ平行な状態から起伏し、９０〜１２０度間の所定角度にて蝶番に取り付けたストッパーに当接してそれ以上の開きが制限される。これにより背もたれ部４は座椅子の背もたれと同じ機能を果たす。
【００１６】
背もたれ部４と蓋部３は座椅子を構成していることから、背もたれ部４の蓋部３への取り付けには市販座椅子に採用されている各種蝶番、各種ストッパーを採用することができる。また、開き扉の開度を所定角度で制限するための各種蝶番、各種連結具、各種ストッパーが知られており、それらを採用することもできる。
【００１７】
図８は本実施形態の折り畳み式収納箱１に採用した蝶番１３の斜視図であり、２軸蝶番と呼ばれるものに属する。開き角度が９０〜１２０度間の所定角度で制限されるように構成されていることから９０度蝶番と呼ぶこともできる。図９は蝶番１３の分解斜視図である。蝶番１３は蓋部３側に固定する第１部材１７と、背もたれ部４側に固定する第２部材１８と、それら両部材１７、１８を連結する連結部材１９からなる。第１、第２部材１７、１８は共に断面コ状溝形の所定長さの鋼材で形成されており、両者とも連結部材１９側となる端部の両側壁は壁高さを円形状に高く突出させたフランジ部２０が形成されている。その円形状フランジ部２０の中央部には丸穴２１が形成してある。連結部材１９は第１、第２部材１７、１８が溝に納まる内幅の断面コ状溝形の鋼材で形成されており、両端部の両側壁には第１、第２部材１７、１８のフランジ部２０と同じ形状のフランジ部２２が形成してあり、それらの中央部には同じく丸穴２３が形成してある。
【００１８】
組み立ては、第１、第２部材１７、１８のフランジ部２０の丸穴２１を連結部材１９のフランジ部２２の丸穴２３に位置合わせし、その状態でそれら丸穴に回転軸となるボルト２４を挿通し、反対側にワッシャー２５、ナット２６を取り付ける。これにより第１、第２部材１７、１８は回転軸であるボルト２４を中心として連結部材１９周りに起伏可能に連結される。
【００１９】
図１０は第１、第２部材１７、１８を開き角度０度の平行にした状態の側面図、図１１は第１、第２部材１７、１８間の開き角度を最大にした状態の側面図である。開き角度を最大にした状態では、第１、第２部材１７、１８の端部フランジ部２０の溝形底部分が連結部材１９の端部フランジ部２２の溝形底部分に当接した状態となるように第１、第２部材１７、１８及び連結部材１９の各丸穴２１、２３の各溝形底面からの高さが調整してある。この当接により最大開度が制限されることから、背もたれ部４は座椅子の背もたれと同様に機能する。
【００２０】
図１２は、本実施形態の折り畳み式収納箱１を一方の蝶番１３の幅中心線を通る垂直面で切断した断面図である。図１０に示すように、蝶番１３の第１、第２部材１７、１８を平行にした状態では第１、第２部材１７、１８間に２軸蝶番の特徴として隙間ができる。この隙間には蓋部３と背もたれ部４のそれぞれの表面を覆うように張り付けてあるクッション材３０が丁度、納まるように連結部材１９の長さが調整してある。
【００２１】
この折り畳み式収納箱１を保管する場合には、図１３に示すように背もたれ部４を蓋部３の上に折り重ね、全体を上下逆にし、蓋部３の開口部に図５の（２）のように折り畳んだ箱部２と取り外した底板５を重ねて納めて保管する。
【００２２】
以上、説明した本実施形態の折り畳み式収納箱１は、箱部２を折り畳み式の物品収納箱として使用できることに加え、その開口を覆う蓋部３と背もたれ部４でもって背もたれのある椅子としても使用できる。また、不使用時にはコンパクトに折り畳んで保管できる利点を有する。
【符号の説明】
【００２３】
図面中、１は折り畳み式収納箱、２は折り畳み式箱部、３は蓋部、４は背もたれ部、５は底板、６は第１の側壁、７は第２の側壁、８は第３の側壁、９は第４の側壁、１０、１１は幅中心線、１３は蝶番、１７は第１部材、１８は第２部材、１９は連結部材、２０、２３はフランジ部、２１、２３は丸穴、２４はボルト、３０はクッション材を示す。
【図１】
2015044628.tif 000003
【図２】
2015044628.tif 000004
【図３】
2015044628.tif 000005
【図４】
2015044628.tif 000006
【図５】
2015044628.tif 000007
【図６】
2015044628.tif 000008
【図７】
2015044628.tif 000009
【図８】
2015044628.tif 000010
【図９】
2015044628.tif 000011
【図１０】
2015044628.tif 000012
【図１１】
2015044628.tif 000013
【図１２】
2015044628.tif 000014
【図１３】
2015044628.tif 000015